(57)【要約】【課題】光の取り出し効率の高効率化を図りつつ、非発光領域を目立たなくする発光装置、を提供する。【解決手段】発光装置１０は、透明基材２１と、透明基材２１の一方の表面上に設けられる有機層２３とを備える。透明基材２１は、有機層２３からの光を出射する光出射面２１ａを有する。発光装置１０は、光出射面２１ａ上に設けられ、光出射面２１ａから出射される光を散乱させる異方性散乱層３１をさらに備える。透明基材２１内の配光がピークを示す方向は、光出射面２１ａに直交する方向に対して傾いた方向となる。異方性散乱層３１は、透明基材２１内の配光がピークを示す方向における光の散乱度が、光出射面２１ａに直交する方向における光の散乱度よりも高く、かつ、異方性散乱層３１の面上の全方位においてほぼ一定となるように設けられる。【選択図】図１
2016162578.tif 000002
【特許請求の範囲】
【請求項１】
透明基材と、
前記透明基材の一方の表面上に設けられる発光層とを備え、
前記透明基材は、前記発光層とは反対側に、前記発光層からの光を出射する光出射面を有し、
前記光出射面は、その平面視において前記発光層に重なり合う第１領域と、前記第１領域の外周上に位置する第２領域とを含み、さらに、
前記第１領域および前記第２領域に跨って前記光出射面上に設けられ、前記光出射面から出射される光を散乱させる異方性散乱層を備え、
前記透明基材内の配光がピークを示す方向は、前記光出射面に直交する方向に対して傾いた方向となり、
前記異方性散乱層は、前記透明基材内の配光がピークを示す方向における光の散乱度が、前記光出射面に直交する方向における光の散乱度よりも高く、かつ、前記異方性散乱層の面上の全方位においてほぼ一定となるように設けられる、発光装置。
【請求項２】
前記異方性散乱層は、長軸を有する非球体形状の光散乱粒子を含み、
前記光散乱粒子は、前記長軸が前記光出射面と平行な面内でランダムな方向を向き、前記長軸と前記光出射面の法線とがなす角度が４５°以上となる割合が、４５°未満となる割合よりも多くなるように設けられる、請求項１に記載の発光装置。
【請求項３】
前記透明基材内の配光は、３以上のピークを示し、
前記３以上のピークのうち最大のピークを示す方向が、前記光出射面に直交する方向に対して傾いた方向となる、請求項１または２に記載の発光装置。
【請求項４】
前記光出射面に直交する方向と前記透明基材内の配光がピークを示す方向とがなす角度がθであり、前記透明基材と空気との界面において形成される光の全反射角がαである場合に、θ＞αの関係を満たす、請求項１から３のいずれか１項に記載の発光装置。
【請求項５】
前記異方性散乱層に対して前記透明基材の反対側に設けられる蛍光層をさらに備え、
前記蛍光層は、前記発光層で発せられた光を励起光として蛍光発光する蛍光粒子を含む、請求項１から４のいずれか１項に記載の発光装置。
【請求項６】
前記異方性散乱層は、前記発光層で発せられた光を励起光として蛍光発光する蛍光粒子を含む、請求項１から５のいずれか１項に記載の発光装置。
【請求項７】
前記第１領域および前記第２領域の境界において、前記透明基材内の配光がピークを示す方向が、前記光出射面に直交する方向に対して傾いた方向となる、請求項１から６のいずれか１項に記載の発光装置。
【請求項８】
前記透明基材内の配光がピークを示す方向における光の散乱度が、前記第１領域および前記第２領域の境界において最大となる、請求項１から７のいずれか１項に記載の発光装置。
【請求項９】
前記発光層、前記透明基材および前記異方性散乱層は、可撓性を有する、請求項１から８のいずれか１項に記載の発光装置。
【請求項１０】
複数の前記発光層が互いに間隔を隔てて設けられる、請求項１から９のいずれか１項に記載の発光装置。
【発明の詳細な説明】
【技術分野】
【０００１】
この発明は、発光装置に関する。
【背景技術】
【０００２】
従来の発光装置に関して、たとえば、特開２００４−３１１１８６号公報には、色変換方式により任意の発光光として、かつ、直線偏光リッチな偏光光として効率よく取り出すことを目的とした、有機ＥＬ（エレクトロルミネッセンス）素子が開示されている（特許文献１）。
【０００３】
特許文献１に開示された有機ＥＬ素子は、支持基板上に、透明電極、正孔輸送層、電子輸送性発光層および反射性電極が順次、積層された構成を有し、正面輝度値＜５０度〜７０度方向の輝度値の関係を満たす。支持基板の光取り出し面側には、透光性樹脂中に複屈折特性の相違する微小領域を分散分布させた異方性散乱性樹脂層が設けられている。この樹脂層内には、発光層から放射される発光光を励起光源として吸収し、蛍光発光または燐光発光する少なくとも１種の発光性材料が含まれている。
【先行技術文献】
【特許文献】
【０００４】
【特許文献１】特開２００４−３１１１８６号公報
【発明の概要】
【発明が解決しようとする課題】
【０００５】
近年、有機ＥＬ（Electro-Luminescence）や発光ダイオード（ＬＥＤ：Light Emitting Diode）が、面光源、薄型、フレキシブル等の利点から照明光源として注目されている。
【０００６】
たとえば、有機ＥＬを用いた発光装置について見ると、有機層（発光層）を水分や酸素等から保護し、劣化を防ぐ目的で、発光装置が有機層の封止構造を備えることが一般的である。十分な封止性能を得るには、発光層よりも大きい面積を封止する必要があるため、現状において、発光装置は、発光層の投影領域である発光領域の外側に非発光領域を有する平面デバイス形状となっている。また、今後封止性能の向上が図られたとしても、平面デバイス形状の周縁部にクラックが生じるなどの製造工程上の理由から、一定の非発光領域は残るものと考えられる。
【０００７】
発光装置の面光源としての品質を高めるために、発光領域と、非発光領域との間における輝度差を低減して、非発光領域を目立たなくする構成が求められる。また、そのような構成は、光の取り出し効率の高効率化に寄与する構造で実現されることが求められる。
【０００８】
そこでこの発明の目的は、上記の課題を解決することであって、光の取り出し効率の高効率化を図りつつ、非発光領域を目立たなくする発光装置を提供することである。
【課題を解決するための手段】
【０００９】
この発明に従った発光装置は、透明基材と、透明基材の一方の表面上に設けられる発光層とを備える。透明基材は、発光層とは反対側に、発光層からの光を出射する光出射面を有する。光出射面は、その平面視において発光層に重なり合う第１領域と、第１領域の外周上に位置する第２領域とを含む。発光装置は、第１領域および第２領域に跨って光出射面上に設けられ、光出射面から出射される光を散乱させる異方性散乱層をさらに備える。透明基材内の配光がピークを示す方向は、光出射面に直交する方向に対して傾いた方向となる。異方性散乱層は、透明基材内の配光がピークを示す方向における光の散乱度が、光出射面に直交する方向における光の散乱度よりも高く、かつ、異方性散乱層の面上の全方位においてほぼ一定となるように設けられる。
【００１０】
なお、「透明基材内の配光がピークを示す方向における光の散乱度が、ほぼ一定である」とは、透明基材内の配光がピークを示す方向における光の散乱度の複数の測定値が、その複数の測定値の平均値の±２０％の範囲内である場合をいう。
【００１１】
このように構成された発光装置によれば、透明基材内の配光がピークを示す方向を光出射面に直交する方向に対して傾いた方向とすることにより、発光層から透明基材を伝搬して光出射面の第２領域に到達する光の割合を増大させることができる。さらに、異方性散乱層を、透明基材内の配光がピークを示す方向における光の散乱度が、光出射面に直交する方向における光の散乱度よりも高く、かつ、異方性散乱層の面上の全方位においてほぼ一定となるように設けることによって、光出射面から出射した光を、異方性散乱層において効率よく、異方性散乱層の面上の全方位に散乱させることができる。これにより、第１領域上の発光領域と、第２領域上の非発光領域との間の輝度差を低減して、非発光領域を目立たなくする構成を実現することができる。また、光出射面から出射した光が異方性散乱層において効率よく散乱されて外部に取り出されるため、光の取り出し効率の高効率化を図ることができる。
【００１２】
また好ましくは、異方性散乱層は、長軸を有する非球体形状の光散乱粒子を含む。光散乱粒子は、長軸が光出射面と平行な面内でランダムな方向を向き、長軸と光出射面の法線とがなす角度が４５°以上となる割合が、４５°未満となる割合よりも多くなるように設けられる。
【００１３】
このように構成された発光装置によれば、異方性散乱層において、透明基材内の配光がピークを示す方向における光の散乱度が、光出射面に直交する方向における光の散乱度よりも高く、かつ、異方性散乱層の面上の全方位においてほぼ一定となる散乱特性を得ることができる。
【００１４】
また好ましくは、透明基材内の配光は、３以上のピークを示す。３以上のピークのうち最大のピークを示す方向が、光出射面に直交する方向に対して傾いた方向となる。
【００１５】
このように構成された発光装置によれば、透明基材内の配光が最大ピークを示す方向を光出射面に直交する方向に対して傾いた方向とすることにより、発光層から透明基材を伝搬して光出射面の第２領域に到達する光の割合を増大させることができる。
【００１６】
また好ましくは、光出射面に直交する方向と透明基材内の配光がピークを示す方向とがなす角度がθであり、透明基材と空気との界面において形成される光の全反射角がαである場合に、θ＞αの関係を満たす。
【００１７】
このように構成された発光装置によれば、透明基材内における光の全反射を利用することにより、発光層から透明基材を伝搬して光出射面の第２領域に到達する光の割合をより増大させることができる。
【００１８】
また好ましくは、発光装置は、異方性散乱層に対して透明基材の反対側に設けられる蛍光層をさらに備える。蛍光層は、発光層で発せられた光を励起光として蛍光発光する蛍光粒子を含む。また好ましくは、異方性散乱層は、発光層で発せられた光を励起光として蛍光発光する蛍光粒子を含む。
【００１９】
このように構成された発光装置によれば、発光層で発せられた光と、蛍光粒子により蛍光発光された光とが混じり合うことによって、白色光を得ることができる。
【００２０】
また好ましくは、第１領域および第２領域の境界において、透明基材内の配光がピークを示す方向が、光出射面に直交する方向に対して傾いた方向となる。
【００２１】
このように構成された発光装置によれば、第１領域および第２領域の境界上における透明基材内の配光特性によって、発光層から透明基材を伝搬して光出射面の第２領域に到達する光の割合を増大させることができる。
【００２２】
また好ましくは、透明基材内の配光がピークを示す方向における光の散乱度が、第１領域および第２領域の境界において最大となる。
【００２３】
このように構成された発光装置によれば、光出射面から出射した光を、第１領域および第２領域の境界上の異方性散乱層において特に効率よく散乱させて外部に取り出すことができる。
【００２４】
また好ましくは、発光層、透明基材および異方性散乱層は、可撓性を有する。
このように構成された発光装置によれば、曲げ変形可能な発光装置を実現することができる。
【００２５】
また好ましくは、複数の発光層が互いに間隔を隔てて設けられる。
このように構成された発光装置によれば、より広い発光面積を備えた発光装置を実現することができる。
【発明の効果】
【００２６】
以上に説明したように、この発明に従えば、光の取り出し効率の高効率化を図りつつ、非発光領域を目立たなくする発光装置を提供することができる。
【図面の簡単な説明】
【００２７】
【図１】この発明の実施の形態における発光装置を示す断面図である。
【図２】図１中の矢印ＩＩに示す方向から見た発光装置を示す平面図である。
【図３】図１中のＩＩＩ−ＩＩＩ線上に沿った発光装置を示す断面図である。
【図４】図１中の矢印ＩＶに示す方向から見た発光装置を示す平面図である。
【図５】図１中の発光装置において、透明基材内の配光特性を説明するための模式図である。
【図６】図１中の発光装置において、透明基材内の配光特性の例を示す図である。
【図７】図１中の発光装置において、透明基材内の配光特性の例を示す図である。
【図８】図１中の発光装置において、透明基材内の配光特性の例を示す図である。
【図９】図１中の発光装置において、異方性散乱層の散乱特性を説明するための図である。
【図１０】図１中の発光装置において、異方性散乱層の散乱特性を説明するための図である。
【図１１】図１中の発光装置において、異方性散乱層の散乱特性を説明するための別の図である。
【図１２】光散乱粒子の形態および配置の別の例を説明するための図である。
【図１３】光散乱粒子の形態および配置の別の例を説明するための図である。
【図１４】光散乱粒子の形態および配置の別の例を説明するための図である。
【図１５】光散乱粒子の形態のさらに別の例を示す図である。
【図１６】図１中の発光装置において奏される作用効果を説明するための断面図である。
【図１７】図１中の発光装置において、異方性散乱層から外部に取り出される光の方向を模式的に表した平面図である。
【図１８】光散乱粒子の配置の比較例を示す平面図である。
【図１９】図１８中の比較例において、異方性散乱層から外部に取り出される光の方向を模式的に表した平面図である。
【図２０】透明基材と空気との界面において形成される光の全反射角を示す断面図である。
【図２１】図１中の発光装置の変形例を示す断面図である。
【図２２】実施例において評価・検証を行なった発光装置を示す平面図である。
【図２３】図２１中のＸＸＩＩＩ−ＸＸＩＩＩ線上に沿った発光装置を示す断面図である。
【図２４】ガラス基材内の配光特性を示す図である。
【図２５】比較例における発光装置を示す断面図である。
【図２６】輝度プロファイルを示すグラフである。
【図２７】規格化後のプロファイルを示すグラフである。
【図２８】光源幅拡大効果を示すグラフである。
【発明を実施するための形態】
【００２８】
（実施の形態）
この発明の実施の形態について、図面を参照して説明する。なお、以下で参照する図面では、同一またはそれに相当する部材には、同じ番号が付されている。
【００２９】
図１は、この発明の実施の形態における発光装置を示す断面図である。図２は、図１中の矢印ＩＩに示す方向から見た発光装置を示す平面図である。
【００３０】
図１および図２を参照して、この発明の実施の形態における発光装置１０は、薄板形状を有する照明手段である。発光装置１０は、面状発光部４１および異方性散乱層３１を有する。面状発光部４１は、面状に延在する発光手段（発光パネル）として設けられている。
【００３１】
本実施の形態では、面状発光部４１が、有機ＥＬ発光パネルから構成され、全体として曲げ可能なように可撓性を有するように形成されている。
【００３２】
面状発光部４１は、透明基材２１、陽極（アノード）２４、有機層２３、陰極（カソード）２５、封止部材２８および絶縁層２９を有する。
【００３３】
透明基材２１は、面状発光部４１の発光面側に配置されている。透明基材２１は、有機層２３からの光が出射する光出射面２１ａと、光出射面２１ａの裏側に配置され、有機層２３からの光が入射する光入射面２１ｂとを有する。光出射面２１ａおよび光入射面２１ｂは、平行に配置されている。透明基材２１は、光出射面２１ａおよび光入射面２１ｂが対向する方向が厚み方向となる平板形状を有する。
【００３４】
陽極２４、有機層２３および陰極２５は、透明基材２１（光入射面２１ｂ）上に順次積層されている。有機層２３は、陽極２４および陰極２５の間に挟まれている。封止部材２８は、陽極２４、有機層２３および陰極２５からなる積層体を覆うように設けられている。
【００３５】
透明基材２１を構成する部材としては、可撓性を有する透明部材が用いられる。透明基材２１としては、たとえば、ポリエチレンテレフタレート（ＰＥＴ）またはポリカーボネイト（ＰＣ）等の光透過性の樹脂基材や、ガラス基板が用いられる。
【００３６】
光透過性の樹脂基材には、他に、ポリイミド、ポリエチレンナフタレート（ＰＥＮ）、ポリスチレン（ＰＳ）、ポリエーテルサルフォン（ＰＥＳ）、ポリプロピレン（ＰＰ）等が用いられてもよい。
【００３７】
陽極２４は、透明性を有する導電膜（透明電極）である。陽極２４を形成するためには、スパッタリング法等によって、ＩＴＯ（Indium Tin Oxide：インジウム錫酸化物）等が透明基材２１上に成膜される。陽極２４に用いられる他の材料としては、ポリエチレンジオキシチオフェン（ＰＥＤＯＴ）が挙げられる。また、光が透過する厚み（５〜２０ｎｍ）を有する金属膜、たとえば、アルミニウム（Ａｌ）や銀（Ａｇ）を用いてもよい。
【００３８】
有機層２３は、電力が供給されることによって光（可視光）を生成することが可能である。有機層２３は、単層の発光層から構成されてもよく、正孔輸送層、発光層、正孔阻止層および電子輸送層などが順次積層されることによって構成されてもよい。有機層２３は、可撓性を有する。
【００３９】
陰極２５は、たとえば、アルミニウム（Ａｌ）である。陰極２５は、真空蒸着法等によって有機層２３を覆うように形成されている。陰極２５を所定の形状にパターニングするために、真空蒸着の際にはマスクが用いられるとよい。陰極２５の他の材料としては、フッ化リチウム（ＬｉＦ）、Ａｌとカルシウム（Ｃａ）との積層、ＡｌとＬｉＦとの積層、および、Ａｌとバリウム（Ｂａ）との積層等が挙げられる。
【００４０】
陰極２５と陽極２４とが短絡しないように、陰極２５と陽極２４との間には絶縁層２９が設けられている。絶縁層２９は、たとえば、スパッタリング法を用いてＳｉＯ２などが成膜された後、フォトリソグラフィ法等を用いて陽極２４と陰極２５とを互いに絶縁する箇所を覆うように所望のパターンに形成される。
【００４１】
封止部材２８は、面状発光部４１の非発光面側に配置されている。封止部材２８は、絶縁性を有する樹脂から形成される。封止部材２８は、有機層２３を、大気中の水分および酸素等のガスから保護するために設けられている。封止部材２８は、陽極２４、有機層２３および陰極２５を透明基材２１上に封止する。なお、陽極２４の一部は、電気的な接続のために封止部材２８から露出している。
【００４２】
封止部材２８には、ＰＥＴ、ＰＥＮ、ＰＳ、ＰＥＳ、ポリイミド等のフィルムに、ＳｉＯ２、Ａｌ２Ｏ３、ＳｉＮｘ等の無機薄膜と、柔軟性のあるアクリル樹脂薄膜などとを層状に複数層重ね合わせることでガスバリア性を備えたものが用いられる。
【００４３】
陽極２４の封止部材２８から露出している部分（図２中の左側の部分）は、電極部２６（陽極用）を構成する。電極部２６と陽極２４とは互いに同じ材料で構成される。陰極２５の封止部材２８から露出している部分（図２中の右側の部分）は、電極部２７（陰極用）を構成する。電極部２７と陰極２５とは互いに同じ材料で構成される。電極部２６および電極部２７には、はんだ付けまたは銀ペーストを用いて配線（不図示）が取り付けられる。配線の取り付け部には、耐水性および耐候性を保つために樹脂剤が塗布されてもよい。
【００４４】
面状発光部４１の有機層２３には、電極部２６，２７、陽極２４および陰極２５を通じて電力が供給される。電力供給により有機層２３で生成された光は、透明電極である陽極２４を通じて、透明基材２１側に取り出される。
【００４５】
なお、本実施の形態では、面状発光部４１が可撓性を有する場合について説明したが、面状発光部４１は、曲げ変形不可なリジットな構成であってもよい。
【００４６】
図３は、図１中のＩＩＩ−ＩＩＩ線上に沿った発光装置を示す断面図である。図３中には、透明基材２１の光出射面２１ａの平面視が示されている。図４は、図１中の矢印ＩＶに示す方向から見た発光装置を示す平面図である。
【００４７】
図１から図４を参照して、光出射面２１ａには、第１領域１１０および第２領域１２０が規定されている。
【００４８】
第１領域１１０は、光出射面２１ａを平面視した場合に有機層２３と重なり合う領域である。第１領域１１０は、光出射面２１ａに直交する方向において有機層２３が投影される領域である。本実施の形態では、第１領域１１０が、矩形形状を有する。
【００４９】
第２領域１２０は、光出射面２１ａを平面視した場合に有機層２３と重なり合わない領域であり、第１領域１１０の外周上に位置する。第２領域１２０は、第１領域１１０の外周上を周回する額縁形状を有する。第２領域１２０は、第１領域１１０から見てその四方に配置されている。
【００５０】
異方性散乱層３１は、透明基材２１の光出射面２１ａ上に設けられている。異方性散乱層３１は、透明基材２１に対して有機層２３の反対側に設けられている。異方性散乱層３１は、光出射面２１ａに規定された第１領域１１０および第２領域１２０に跨って設けられている。異方性散乱層３１は、光出射面２１ａの全面に渡って設けられている。異方性散乱層３１は、光出射面２１ａから出射した光を散乱させる。
【００５１】
異方性散乱層３１は、透明基材２１からの光が出射する光出射面３１ａと、光出射面３１ａの裏側に配置され、透明基材２１からの光が入射する光入射面３１ｂとを有する。光入射面３１ｂは、透明基材２１の光出射面２１ａと対向する。光出射面３１ａおよび光入射面３１ｂは、平行に配置されている。異方性散乱層３１は、光出射面３１ａおよび光入射面３１ｂが対向する方向が厚み方向となる平板形状を有する。
【００５２】
異方性散乱層３１および透明基材２１は、互いに光学密着して設けられている。光学密着とは、透明基材２１と異方性散乱層３１との間に透明な接着材料が満たされていたり、真空貼り合わせにより気泡等が混入しない状態で密着している状態をいう。たとえば、透明基材２１が可塑性を有する透明部材から構成される場合、透明粘着フィルム、透明ゲル、透明光学接着剤などを用いて、異方性散乱層３１および透明基材２１が密着しているとよい。
【００５３】
異方性散乱層３１は、バインダ３３および光散乱粒子３２から構成されている。バインダ３３としては、光透過性の樹脂材料が用いられる。光散乱粒子３２は、バインダ３３の内部に分散して設けられている。光散乱粒子３２は、バインダ３３により互いに結合されている。異方性散乱層３１は、可撓性を有して構成されている。異方性散乱層３１は、透明基材２１上に成膜されていてもよい。成膜の方法としては、真空蒸着、スパッタリング、スピンコート等が挙げられる。
【００５４】
続いて、透明基材２１の配光特性と、異方性散乱層３１の散乱特性とについて説明する。
【００５５】
図５は、図１中の発光装置において、透明基材内の配光特性を説明するための模式図である。図１から図５を参照して、透明基材２１内の配光は特定の方向においてピークを示す。透明基材２１内の配光がピークを示す方向は、光出射面２１ａに直交する方向に対して傾いた方向となる。
【００５６】
図５には、透明基材２１の光出射面２１ａに対する法線Ｌが示されている。法線Ｌが延びる方向が、光出射面２１ａに直交する方向である（以下、光出射面２１ａに直交する方向を、法線Ｌ方向ともいう）。透明基材２１内の配光がピークを示す方向は、法線Ｌに対して角度θをなす斜め方向となる（０°＜θの絶対値＜９０°）。
【００５７】
ここで透明基材２１内の配光とは、有機層２３で発生した光が、透明基材２１の内部でどのような角度に分布するかを測定した量である。
【００５８】
実験的には、有機層２３の面積よりも十分に（たとえば、１０倍）大きく、透明基材２１と同じ屈折率を有する半球レンズ４３を準備する。透明基材２１と半球レンズ４３との間に、屈折率がマッチングするマッチングオイルを充填しつつ、半球レンズ４３を透明基材２１の光出射面２１ａ上に設ける。ディテクタ４４により、半球レンズ４３からの出射光の輝度を測定する。法線Ｌに対する角度を変化させながらディテクタ４４を移動させることにより、透明基材２１内の配光がピークとなる方向を特定する。なお、輝度測定は、光電力の波長依存性に視感度をかけたものとしてＣＩＥ（国際照明委員会）の定義によって計算される。
【００５９】
図６から図８は、図１中の発光装置において、透明基材内の配光特性の例を示す図である。
【００６０】
図６に示す例では、透明基材２１内の配光が、法線Ｌに対してその左右に角度θをなす方向においてピーク１３１ｐおよびピーク１３１ｑを示す。これらピーク１３１ｐ，１３１ｑは、光出射面２１ａに直交する方向（法線Ｌ方向）に対して傾いた方向となる。
【００６１】
図７に示す例では、透明基材２１内の配光が、法線Ｌに対してその左右に角度θをなす方向においてピーク１３１ｐおよびピーク１３１ｑを示し、法線Ｌ方向においてピーク１３２を示す。図８に示す例では、透明基材２１内の配光が、法線Ｌに対してその左右に角度θをなす方向においてピーク１３１ｐおよびピーク１３１ｑを示し、法線Ｌに対してその左右に角度θよりも小さい角度をなす方向において、ピーク１３１ｐおよびピーク１３１ｑよりも小さいピーク１３３ｐおよびピーク１３３ｑを示す。
【００６２】
図７および図８に示す例では、透明基材２１内の配光が、３以上のピークを示す。このような場合、その３以上のピークのうち最大のピークを示す方向（ピーク１３１ｐおよびピーク１３１ｑの方向）が、光出射面２１ａに直交する方向（法線Ｌ方向）に対して傾いた方向となる。
【００６３】
図９および図１０は、図１中の発光装置において、異方性散乱層の散乱特性を説明するための図である。図９および図１０を参照して、異方性散乱層３１は、透明基材２１内の配光がピークを示す方向における光の散乱度が、透明基材２１の光出射面２１ａに直交する方向における光の散乱度よりも高くなるように設けられる。
【００６４】
ここで光の散乱度とは、異方性散乱層３１に入射する光のうち異方性散乱層３１内部で散乱される光の割合を測定した量である。
【００６５】
実験的には、まず、異方性散乱層３１に対して、透明基材２１の光出射面２１ａに直交する方向（法線Ｌ方向）に光を照射する。異方性散乱層３１に対する光の照射方向の延長上にディテクタ４４を配置し、光出射面３１ａからの出射光の輝度Ｌｂ（ｃｄ／ｍ２）を測定する。光入射面３１ｂへの入射光の輝度をＬａ（ｃｄ／ｍ２）とした場合に、透明基材２１の光出射面２１ａに直交する方向における光の散乱度は、（Ｌａ−Ｌｂ）／Ｌａとなる。
【００６６】
次に、異方性散乱層３１に対して、透明基材２１内の配光がピークを示す方向（法線Ｌに対して角度θをなす方向）に光を照射する。異方性散乱層３１に対する光の照射方向の延長上にディテクタ４４を配置し、光出射面３１ａからの出射光の輝度Ｌｃ（ｃｄ／ｍ２）を測定する。光入射面３１ｂへの入射光の輝度をＬａ（ｃｄ／ｍ２）とした場合に、透明基材２１内の配光がピークを示す方向における光の散乱度は、（Ｌａ−Ｌｃ）／Ｌａとなる。
【００６７】
透明基材２１の光出射面２１ａに直交する方向における光の散乱度をＦｘとし、透明基材２１内の配光がピークを示す方向における光の散乱度をＦｙとした場合、（１／ｃｏｓθ）Ｆｘ＜Ｆｙの関係を満たすことが好ましく、（２／ｃｏｓθ）Ｆｘ＜Ｆｙの関係を満たすことがさらに好ましい。
【００６８】
図１１は、図１中の発光装置において、異方性散乱層の散乱特性を説明するための別の図である。図１１を参照して、異方性散乱層３１は、透明基材２１内の配光がピークを示す方向における光の散乱度が、異方性散乱層３１の面上の全方位においてほぼ一定となるように設けられる。
【００６９】
実験的には、まず、異方性散乱層３１の光入射面３１ｂ上に、複数の測定点（Ｐ１，Ｐ２，Ｐ３，…Ｐｎ）を設定する。測定点の数の一例としては、１０箇所（ｎ＝１０）である。各測定点において、異方性散乱層３１に対して、透明基材２１内の配光がピークを示す方向（法線Ｌに対して角度θをなす方向）に光を照射する。この際、光入射面３１ｂを平面視した場合に、各測定点から見て光が光入射面３１ｂに入射する方位を、複数の測定点間でランダムとなるように設定する。
【００７０】
先と同様にして、複数の測定点（Ｐ１，Ｐ２，Ｐ３，…Ｐｎ）において、透明基材２１内の配光がピークを示す方向における光の散乱度（Ｆ１，Ｆ２，Ｆ３，…Ｆｎ）を算出する。複数の測定点における光の散乱度の平均値（（Ｆ１＋Ｆ２＋Ｆ３＋…＋Ｆｎ）／ｎ）がＦａである場合に、Ｆ１，Ｆ２，Ｆ３，…Ｆｎは、Ｆａ±２０％の範囲内となる。より好ましくは、Ｆ１，Ｆ２，Ｆ３，…Ｆｎは、Ｆａ±１０％の範囲内となる。さらに好ましくは、Ｆ１，Ｆ２，Ｆ３，…Ｆｎは、Ｆａ±５％の範囲内となる。
【００７１】
続いて、上記に説明した異方性散乱層３１の散乱特性を得るための光散乱粒子３２の形態および配置について説明する。
【００７２】
図４を参照して、光散乱粒子３２は、非球体形状を有する。光散乱粒子３２は、球体ではなく、長軸を有する形態である。光散乱粒子３２の長軸とは、光散乱粒子３２を投影しながら任意に回転させた場合に観測できる最も長い軸をいう。図中に示す例では、光散乱粒子３２が、楕円体の形状を有する。光散乱粒子３２の長軸は、光出射面２１ａに平行な平面内でランダムな方向を向いている。
【００７３】
図１２から図１４は、光散乱粒子の形態および配置の別の例を説明するための図である。図１２から図１４を参照して、光散乱粒子３２の形態および配置の別の例について説明する。
【００７４】
光散乱粒子３２は、非球体の形状として、角部が丸められた扁平の四角柱形状を有する。光散乱粒子３２では、長辺の対角を結んだ最も長い線が長軸ＬＡとなる。
【００７５】
光散乱粒子３２は、その長軸が法線Ｌに対して４５°以上傾いた光散乱粒子３２の割合が、４５°未満傾いた光散乱粒子３２の割合よりも多くなるように設けられる。より好ましくは、光散乱粒子３２は、その長軸が光出射面２１ａに沿うように設けられる。この場合、個々の光散乱粒子３２を法線Ｌ方向から見た場合の投影平面面積Ｓ１の平均値が、光散乱粒子３２を法線Ｌ方向に対して直交する方向から見た場合の全周平均面積Ｓ２の平均値よりも大きくなる。
【００７６】
光散乱粒子３２の長軸が光出射面２１ａに沿うように配置されると、光散乱粒子３２は、幾何光学的には、法線Ｌ方向と、面法線と９０°をなす方向との曲率が異なるレンズに近似される。このため、法線Ｌ方向から傾いた方向に進む光に対しては、曲率が大きくなるため、拡がり角度が大きい散乱となり、法線Ｌ方向に進む光に対しては、曲率が小さくなるため、拡がり角度が小さい散乱となる。
【００７７】
図１３中には、光散乱粒子３２の、光散乱粒子３２を法線Ｌ方向（矢印Ａに示す方向）から見た場合の投影平面面積Ｓ１が示されている。光散乱粒子３２は、平面Ｈ（光出射面２１ａに相当）に対して、角度α°（たとえば、５°）傾斜して設けられている。この場合の投影平面面積Ｓ１は、光散乱粒子３２の平面面積Ｓ（図１２を参照）よりも大きくなる。
【００７８】
投影平面面積Ｓ１の平均値を測定する際には、異方性散乱層３１の所定面積について、法線Ｌに沿った方向Ａから見たときに個々の光散乱粒子３２が占める面積の平均値を測定し、これを投影平面面積Ｓ１の平均値とすればよい。測定する面積が広いほど、測定精度が向上することはいうまでもない。
【００７９】
図１４を参照して、光散乱粒子３２の全周平均面積Ｓ２について説明する。光散乱粒子３２を法線Ｌ方向に対して直交する方向（矢印Ｂに示す方向）から見た場合において、たとえば、１°ずつ投影面積Ｓ２ｎを測定する（ｎは、１〜３６０）。図１４中には、このうちのある角度から見た場合の投影面積Ｓ２ｎが示されている。測定後、３６０回の投影面積Ｓ２ｎの総合計を、３６０で除した値が、全周平均面積Ｓ２となる。
【００８０】
全周平均面積Ｓ２の平均値の測定を行なう場合には、個々の光散乱粒子３２について全周（３６０°）に渡って測定し、それを平均化する必要は、必ずしもない。たとえば、発光装置１０を法線Ｌに沿った方向Ａに対して平行な面に沿って切断し、その切断面に現れた光散乱粒子３２の面積の平均値を測定すればよい。異方性散乱層３１内における光散乱粒子３２の配置（分布、傾斜方向やその角度α°など）のばらつきの度合いが、異方性散乱層３１のほぼ全体に渡っておおよそ均等であると想定すれば、少なくとも一箇所において発光装置１０を切断して測定すればよい。また、光散乱粒子３２の配置のばらつきの度合いに偏りがあったとしても、複数個所（たとえば、２〜４箇所程度）において発光装置１０を切断して光散乱粒子３２の面積の平均値を測定することで、より高い精度で測定することができる。切断して測定する箇所の数を増加させるほど、測定の精度が向上することはいうまでもない。
【００８１】
図１５は、光散乱粒子の形態のさらに別の例を示す図である。図１５を参照して、光散乱粒子３２の形態としては、様々な形態を選択することができる。光散乱粒子３２の別の形態として、（Ａ）角柱、（Ｂ）直方体、（Ｃ）十字型、（Ｄ）棒型、（Ｅ）円柱、（Ｆ）小判型（陸上競技のトラック型）、（Ｇ）ピーナッツ型、または、（Ｈ）トーラス型を挙げることができる。図１５中のＬＡは、各形態での光散乱粒子３２の長軸を示している。光散乱粒子３２の形状については、複数種類を組み合わせて用いてもよい。
【００８２】
光散乱粒子３２としては、可視光域のＭｉｅ散乱を生じさせる領域以上の粒径を有する透明な粒子であることが好ましく、その平均粒径は、０．２μｍ以上であることが好ましい。一方、光散乱粒子３２の平均粒径の上限としては、好ましくは１０μｍ未満、より好ましくは５μｍ未満、特に好ましくは３μｍ未満、最も好ましくは１μｍ未満である。
【００８３】
ここで、光散乱粒子３２の平均粒径は、たとえば、日機装社製ナノトラックＵＰＡ−ＥＸ１５０といった動的光散乱法を利用した装置や、電子顕微鏡写真の画像処理により測定することができる。
【００８４】
このような光散乱粒子３２としては、特に制限はなく、目的に応じて適宜選択することができ、有機微粒子であっても、無機微粒子であってもよいが、中でも高屈折率を有する無機微粒子であることが好ましい。
【００８５】
高屈折率を有する有機微粒子としては、たとえば、ポリメチルメタクリレートビーズ、アクリル−スチレン共重合体ビーズ、メラミンビーズ、ポリカーボネートビーズ、スチレンビーズ、架橋ポリスチレンビーズ、ポリ塩化ビニルビーズ、ベンゾグアナミン−メラミンホルムアルデヒドビーズ等が挙げられる。
【００８６】
高屈折率を有する無機微粒子としては、たとえば、ジルコニウム、チタン、アルミニウム、インジウム、亜鉛、錫、アンチモン等の中から選ばれる少なくとも１つの酸化物からなる無機酸化物粒子が挙げられる。無機酸化物粒子としては、具体的には、ＺｒＯ２、ＴｉＯ２、ＢａＴｉＯ３、Ａｌ２Ｏ３、Ｉｎ２Ｏ３、ＺｎＯ、ＳｎＯ２、Ｓｂ２Ｏ３、ＩＴＯ、ＳｉＯ２、ＺｒＳｉＯ４、ゼオライト等が挙げられる。中でも、ＴｉＯ２、ＢａＴｉＯ３、ＺｒＯ２、ＺｎＯ、ＳｎＯ２が好ましく、ＴｉＯ２が最も好ましい。また、ＴｉＯ２の中でも、アナターゼ型よりルチル型の方が、触媒活性が低いため高屈折率層や隣接した層の耐候性が高くなり、さらに屈折率が高いことから好ましい。
【００８７】
また、これらの光散乱粒子３２は異方性散乱層３１に含有させるために、後述の分散液とした場合の分散性や安定性向上の観点から、表面処理を施したものを用いるか、あるいは表面処理を施さないものを用いるかを選択することができる。
【００８８】
表面処理を行う場合、表面処理の具体的な材料としては、酸化ケイ素や酸化ジルコニウム等の異種無機酸化物、水酸化アルミニウム等の金属水酸化物、オルガノシロキサン、ステアリン酸等の有機酸等が挙げられる。これら表面処理材は、１種を単独で用いてもよく、複数種を組み合わせて用いてもよい。中でも、分散液の安定性の観点から、表面処理材としては、異種無機酸化物および／または金属水酸化物が好ましく、金属水酸化物がより好ましい。
【００８９】
無機酸化物粒子が、表面処理材で表面被覆処理されている場合、その被覆量（一般的に、この被覆量は、粒子の質量に対する当該粒子の表面に用いた表面処理材の質量割合で示される）は、０．０１〜９９質量％であることが好ましい。表面処理材の被覆量が少なすぎると、表面処理による分散性や安定性の向上効果を十分に得ることができず、また、多すぎると高屈折率の異方性散乱層３１の屈折率が低下するため好ましくない。
【００９０】
その他、高屈折率粒子の材料として、国際公開第２００９／０１４７０７号および米国特許第６６０８４３９号明細書等に記載の量子ドットも好適に用いることができる。
【００９１】
異方性散乱層３１の形成方法としては、たとえば、層媒体であるバインダ３３が樹脂材料の場合、透明基板上に、媒体となる樹脂材料（ポリマー）溶液（溶媒としては、粒子の溶解しないものを用いる）に上記光散乱粒子３２を分散したものを塗布することで形成する。
【００９２】
図１６は、図１中の発光装置において奏される作用効果を説明するための断面図である。図１７は、図１中の発光装置において、異方性散乱層から外部に取り出される光の方向を模式的に表した平面図である。
【００９３】
図１６および図１７を参照して、本実施の形態における発光装置１０においては、透明基材２１内の配光のピークを示す方向が、光出射面２１ａに直交する方向に対して傾いた方向とされている。このような構成により、有機層２３から透明基材２１を伝搬して光出射面２１ａの第２領域１２０に到達する光の割合を増大させることができる。また、異方性散乱層３１は、透明基材２１内の配光がピークを示す方向における光の散乱度が、光出射面２１ａに直交する方向における光の散乱度よりも高くなるように設けられている。このような構成により、第２領域１２０に到達した光を異方性散乱層３１において効率よく散乱させて外部に取り出すことができる。また、法線Ｌ方向の光に対しては散乱が少なくなるため、透過率が向上し、効率よく光を取り出すことができる。
【００９４】
図１８は、光散乱粒子の配置の比較例を示す平面図である。図１９は、図１８中の比較例において、異方性散乱層から外部に取り出される光の方向を模式的に表した平面図である。
【００９５】
図１８および図１９を参照して、本比較例では、光散乱粒子３２の長軸が、光出射面２１ａに平行な平面内で一方向を向いている。この場合、透明基材２１内の配光がピークを示す方向における光の散乱度は、長軸の向きに対応した特定方向のみで高くなり、その特定方向以外の第２領域１２０上で光を効率的に取り出すことができない。
【００９６】
図１７を参照して、これに対して、本実施の形態では、光散乱粒子３２の長軸が、光出射面２１ａに平行な平面内でランダムな方向を向いていることにより、透明基材２１内の配光がピークを示す方向における光の散乱度が、異方性散乱層３１の面上の全方位においてほぼ一定となる。このような構成により、第２領域１２０上の全ての位置で光を効率的に取り出して、第１領域１１０上の発光領域と第２領域１２０上の非発光領域との間の輝度差を低減することができる。
【００９７】
図２０は、透明基材と空気との界面において形成される光の全反射角を示す断面図である。
【００９８】
図２０を参照して、光出射面２１ａに直交する方向（法線Ｌ方向）と、透明基材２１内の配光がピークを示す方向とがなす角度がθであり、透明基材２１と空気との界面において形成される光の全反射角がαである場合に、θ＞αの関係を満たすことが好ましい。この場合、透明基材２１内における光の全反射を利用して、有機層２３から透明基材２１を伝搬して光出射面２１ａの第２領域１２０に到達する光の割合をより増大させることができる。
【００９９】
図１から図４を参照して、異方性散乱層３１は、光散乱粒子３２に加えて、有機層２３で発せられた光を励起光として蛍光発光する蛍光粒子（不図示）を含んでもよい。また、そのような蛍光粒子を含む蛍光層（不図示）が、異方性散乱層３１に対して透明基材２１の反対側に設けられてもよい。この場合、有機層２３で発せられた光と、蛍光粒子により蛍光発光された光とが混じり合うことによって、白色光を得ることができる。異なる発光色を放射する面状発光部に対して、全ての面状発光部の透明基材内の配光ピークを、法線方向に対して傾いた方向に揃えることは難易度が高い。異方性散乱層３１と蛍光粒子とを組み合わせることで、容易に効率よく白色光を得ることができる。
【０１００】
透明基材２１内の配光は、その面内の領域ごとに異なる特性を有してもよい。この場合に、第１領域１１０および第２領域１２０の境界において、透明基材２１内の配光がピークを示す方向が、光出射面２１ａに直交する方向に対して傾いた方向となることが好ましい。また、異方性散乱層３１による散乱は、その面内の領域ごとに異なる特性を有してもよい。この場合に、透明基材２１内の配光がピークを示す方向における光の散乱度が、第１領域１１０および第２領域１２０の境界において最大となることが好ましい。
【０１０１】
図２１は、図１中の発光装置の変形例を示す断面図である。図２１中では、図１中に示す各種の電極等が省略されている。
【０１０２】
図２１を参照して、本変形例における発光装置は、複数の有機層２３（２３Ａ，２３Ｂ，２３Ｃ）を有する。複数の有機層２３は、互いに間隔を隔てて設けられている。複数の有機層２３は、一方向に配列されてもよいし、平面的に配列されてもよい。複数の有機層２３の各々は、透明部材３０を介して透明基材２１に搭載されている。
【０１０３】
このような構成によれば、複数の有機層２３が用いられることによって、広領域で発光が可能な発光装置を実現することができる。
【０１０４】
以上に説明した、この発明の実施の形態における発光装置１０の基本的な構造をまとめると、本実施の形態における発光装置１０は、透明基材２１と、透明基材２１の一方の表面上に設けられる発光層としての有機層２３とを備える。透明基材２１は、有機層２３とは反対側に、有機層２３からの光を出射する光出射面２１ａを有する。光出射面２１ａは、その平面視において有機層２３に重なり合う第１領域１１０と、第１領域１１０の外周上に位置する第２領域１２０とを含む。発光装置１０は、第１領域１１０および第２領域１２０に跨って光出射面２１ａ上に設けられ、光出射面２１ａから出射される光を散乱させる異方性散乱層３１をさらに備える。透明基材２１内の配光がピークを示す方向は、光出射面２１ａに直交する方向に対して傾いた方向となる。異方性散乱層３１は、透明基材２１内の配光がピークを示す方向における光の散乱度が、光出射面２１ａに直交する方向における光の散乱度よりも高く、かつ、異方性散乱層３１の面上の全方位においてほぼ一定となるように設けられる。
【０１０５】
このように構成された、この発明の実施の形態における発光装置１０によれば、第１領域１１０上の発光領域と、第２領域１２０上の非発光領域との間の輝度差を低減して、非発光領域を目立たなくする効果、言い換えれば、光源幅を拡大させる効果を得ることができる。また、透明基材２１内の配光特性により第１領域１１０および第２領域１２０に適切な割合で分配された光は、異方性散乱層３１の散乱特性により、異方性散乱層３１内において効率よく散乱されて外部に取り出される。このため、光の取り出し効率の高効率化を図ることができる。
【０１０６】
なお、本実施の形態では、陰極２５に金属電極を用いた有機ＥＬ発光パネルについて説明したが、陰極２５に透明電極を用いた透明タイプの有機ＥＬ発光パネルを用いてもよい。この場合、異方性散乱層３１を用いているため光散乱が少なく、正面方向から発光パネルを見た場合に発光パネルの透明性に優れている。また、透明基材２１の反対側への光取り出しに関しても、異方性散乱層３７を用いているため、第２領域１２０における光取り出しに優れている。
【０１０７】
また、本実施の形態では、面状発光部４１が有機ＥＬ素子から構成される場合について説明したが、本発明はこれに限られない。たとえば、面状発光部が、複数の発光ダイオード（ＬＥＤ）を備えて構成される場合にも、本発明を適用可能である。
【０１０８】
（実施例）
上記作用効果を確認するための評価・検証を行なった実施例について説明する。
【０１０９】
図２２は、実施例において評価・検証を行なった発光装置を示す平面図である。図２３は、図２１中のＸＸＩＩＩ−ＸＸＩＩＩ線上に沿った発光装置を示す断面図である。図２４は、ガラス基材内の配光特性を示す図である。
【０１１０】
図２２から図２４を参照して、０．２ｍｍ厚のガラス基材３５（実施の形態における透明基材２１に対応）上に、図２２中のパターンを備えた陽極２４（透明電極）、有機層２３および陰極２５を成膜することにより、青単色素子３８（実施の形態における面状発光部４１に対応）を作製した。ガラス基材３５内の配光特性は、図２４に示すとおりである。
【０１１１】
界面活性剤・純水にて脱脂・洗浄を施した０．２ｍｍ厚の薄板ガラス３６を準備し、異方性散乱層の調液をスピンコート法によって成膜することにより、異方性散乱層３７を作製した。異方性散乱層の調液としては、屈折率２．４、平均粒径０．２５μｍのＴｉＯ２粒子（テイカ（株）製  ＪＲ６００Ａ）と、樹脂溶液（ＡＰＭ社製  ＥＤ２３０ＡＬ（有機無機ハイブリッド樹脂））とを用い、ＴｉＯ２粒子と樹脂溶液との固形分比率が７０体積％／３０体積％となり、ｎ−プロピルアセテートとシクロヘキサノンとの溶媒比が１０質量％／９０質量％となり、固形分濃度が１５質量％となるように、１０ｍｌ量の比率で調液を処方設計した。具体的には、上記のＴｉＯ２粒子と溶剤とを混合し、その混合液を、常温で冷却しながら、超音波分散機（エスエムテー社製  ＵＨ−５０）によりマイクロチップステップ（エスエムテー社製  ＭＳ−３  ３ｍｍφ）の標準条件で１０分間分散することにより、ＴｉＯ２粒子の分散液を作製した。
【０１１２】
上記分散液をスピン塗布（３０００ｒｐｍ，３０秒間）にて薄板ガラス３６上に回転塗布した。その後、簡易乾燥（８０℃，２分）およびベーク（１２０℃，６０分間）を行なうことにより、０．５μｍ厚の異方性散乱層３７を作製した。
【０１１３】
青単色素子３８と、異方性散乱層３７が形成された薄板ガラス３６とを、屈折率ｎ＝１．５１のマッチングオイルを介在させて光学密着させることにより、図２３中の実施例における発光装置を得た。
【０１１４】
図２５は、比較例における発光装置を示す断面図である。図２５を参照して、本比較例では、上記の実施例における異方性散乱層３７に替えて、０．１１５ｍｍ厚の拡散フィルム２１４（キモト社製  １００ＮＳＨ）を用いた。拡散フィルム２１４では、ガラス基材３５の光出射面に直交する方向における光の散乱度と、ガラス基材３５内の配光がピークを示す方向における光の散乱度とが等しい。拡散フィルム２１４を、０．０５ｍｍ厚の接着剤２１３を介して、０．０５ｍｍ厚の透明シート２１２に貼り合わせた。
【０１１５】
青単色素子３８と、拡散フィルム２１４が設けられた透明シート２１２とを、屈折率ｎ＝１．５１のマッチングオイルを介在させて光学密着させることにより、図２５中の比較例における発光装置を得た。
【０１１６】
図２６は、輝度プロファイルを示すグラフである。青単色素子３８単体（素子単体）、図２３中の実施例（＋異方性散乱層）および図２５中の比較例（＋拡散フィルム）において、コニカミノルタ製ＣＡ−２０００を用いて輝度分布を測定し、図２２中のＸＸＩＩＩ−ＸＸＩＩＩ線上に沿った方向の輝度プロファイルを図２６に示した。実施の形態における第１領域１１０（発光領域）および第２領域１２０（非発光領域）の境界は、横軸の±１ｍｍの位置にある。
【０１１７】
図２４に示すように、ガラス基材３５内の配光のピークが法線Ｌ方向に対して極端に傾いた方向にあるため、青単色素子３８単体では、輝度の絶対値は低くなった。しかしながら、青単色素子３８に異方性散乱層３７または拡散フィルム２１４を重ねることにより、これらの散乱効果によって正面輝度が高くなった。特に異方性散乱層３７を重ねた実施例では、拡散フィルム２１４を重ねた比較例と比べても、中心の正面輝度で２５％ほど高い値となり、光取り出し効果の高さが示された。
【０１１８】
図２７は、規格化後のプロファイルを示すグラフである。図２７中には、図２６中に示す輝度プロファイルを中心輝度で規格化したプロファイルが示されている。
【０１１９】
図２７を参照して、青単色素子３８単体の輝度プロファイルでは、発光領域と非発光領域との境界がはっきりと認識されるのに対して、実施例および比較例では、発光領域と非発光領域との境界においてブロードかつ滑らかなプロファイルとなり、非発光領域が目立ちにくい構成となった。
【０１２０】
図２８は、光源幅拡大効果を示すグラフである。図２８では、図２７中のプロファイルを解析して、異方性散乱層３７および拡散フィルム２１４によってどの程度、光源幅が拡がって見えるかについて評価した。ここでは、発光領域の中心輝度と比較して、４０％の輝度の位置までを拡大幅として、片側拡大幅を解析した。異方性散乱層３７を用いた実施例の方が、拡散フィルム２１４を用いた比較例よりも光源幅が拡がる結果となった。
【０１２１】
一般的には、透過率を下げて、基材内への反射や発光領域上での吸収を増やした方が光源幅は拡大する。このため、本来、光取り出し効率と光源幅拡大効果とは、トレードオフの関係であると考えられる。しかしながら、今回の評価では、光取り出し効果の高い異方性散乱層３１を用いた実施例の方が、光源幅も拡大しており、２つの効果が双方成り立つ構成となっていることを確認できた。
【０１２２】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【産業上の利用可能性】
【０１２３】
この発明は、たとえば、有機ＥＬや発光ダイオードを用いた面照明に利用される。
【符号の説明】
【０１２４】
１０  発光装置、２１  透明基材、２１ａ，３１ａ  光出射面、２１ｂ，３１ｂ  光入射面、２３  有機層、２４  陽極、２５  陰極、２６，２７  電極部、２８  封止部材、２９  絶縁層、３０  透明部材、３１，３７  異方性散乱層、３２  光散乱粒子、３３  バインダ、３５  ガラス基材、３６  薄板ガラス、３８  青単色素子、４１  面状発光部、４３  半球レンズ、４４  ディテクタ、１１０  第１領域、１２０  第２領域、１３１ｐ，１３１ｑ，１３２，１３３ｐ，１３３ｑ  ピーク、２１２  透明シート、２１３  接着剤、２１４  拡散フィルム。
【図１】
2016162578.tif 000003
【図２】
2016162578.tif 000004
【図３】
2016162578.tif 000005
【図４】
2016162578.tif 000006
【図５】
2016162578.tif 000007
【図６】
2016162578.tif 000008
【図７】
2016162578.tif 000009
【図８】
2016162578.tif 000010
【図９】
2016162578.tif 000011
【図１０】
2016162578.tif 000012
【図１１】
2016162578.tif 000013
【図１２】
2016162578.tif 000014
【図１３】
2016162578.tif 000015
【図１４】
2016162578.tif 000016
【図１５】
2016162578.tif 000017
【図１６】
2016162578.tif 000018
【図１７】
2016162578.tif 000019
【図１８】
2016162578.tif 000020
【図１９】
2016162578.tif 000021
【図２０】
2016162578.tif 000022
【図２１】
2016162578.tif 000023
【図２２】
2016162578.tif 000024
【図２３】
2016162578.tif 000025
【図２４】
2016162578.tif 000026
【図２５】
2016162578.tif 000027
【図２６】
2016162578.tif 000028
【図２７】
2016162578.tif 000029
【図２８】
2016162578.tif 000030